(57)【要約】【課題】建物を支持する基礎の沈下量が場所ごとに相違する場合であっても、それに伴う構造物の変形や破損等を抑制する。【解決手段】建物１０が構築される地盤には、鉄筋コンクリート造の布基礎からなる基礎１１が設けられており、その基礎１１上に主架構Ｋ１とスキップ架構Ｋ２とが設置されている。スキップ架構Ｋ２は、居室２２とその上方の収納室２４とを構築するものであり、その収納室２４には、ヒートポンプユニット４１ａと貯水タンクユニット４１ｂとからなるヒートポンプ式温水装置４１が設置されている。各架構Ｋ１，Ｋ２に対応する基礎１１（１１ａ〜１１ｅ）に水平方向に近接して設けられる防湿コンクリート６１は、各架構Ｋ１，Ｋ２に対応する基礎１１（１１ａ〜１１ｅ）に対して不連続となっている。【選択図】      図２
2008285948.tif 000002
【特許請求の範囲】
【請求項１】
各々独立した複数の架構が基礎上に設置され、それら複数の架構により構築される建物であって、
前記複数の架構又はその下方の基礎にそれぞれ水平方向に近接して設けられる構造物を、前記複数の架構又はその下方の基礎に対して不連続としたことを特徴とする建物。
【請求項２】
前記複数の架構はそれぞれ負担重量が相違するものであり、その負担重量が相違する架構又はその下方の基礎に対して前記構造物を不連続に設けた請求項１に記載の建物。
【請求項３】
前記複数の架構のうちいずれかに、建物内で使用する水を貯める貯水槽を設置した請求項１又は２に記載の建物。
【請求項４】
前記複数の架構として、建物の全体構造を構成する主架構と、その主架構から独立して設けられ同主架構とは異なる高さに床を形成するスキップ架構とを備え、
前記主架構及び前記スキップ架構、又はそれらの下方の基礎に対して前記構造物を不連続に設けた請求項１又は２に記載の建物。
【請求項５】
前記スキップ架構により形成される床上に、建物内で使用する水を貯める貯水槽を設置した請求項４に記載の建物。
【請求項６】
各々独立した複数の架構が基礎上に設置され、それら複数の架構により構築される建物であって、
前記複数の架構はそれぞれ負担重量が相違するものであり、そのうち相対的に負担重量が大きい架構又はその下方の基礎に水平方向に近接して設けられる構造物を、前記負担重量が大きい架構又はその下方の基礎に対して不連続としたことを特徴とする建物。
【請求項７】
前記複数の架構のうちいずれかに、建物内で使用する水を貯める貯水槽を設置した建物であって、
前記貯水槽を設置した架構又はその下方の基礎に対して前記構造物を不連続に設けた請求項６に記載の建物。
【請求項８】
前記複数の架構として、建物の全体構造を構成する主架構と、その主架構から独立して設けられ同主架構とは異なる高さに床を形成するスキップ架構とを備え、前記スキップ架構の負担重量を前記主架構よりも大きくした建物であって、
前記スキップ架構又はその下方の基礎に対して前記構造物を不連続に設けた請求項６に記載の建物。
【請求項９】
前記スキップ架構により形成される床上に、建物内で使用する水を貯める貯水槽を設置した請求項８に記載の建物。
【請求項１０】
前記貯水槽から供給される水を使用する水使用設備を、前記貯水槽を設置した架構とは異なる架構に設置した建物であって、
前記貯水槽と前記水使用設備とを接続する給水配管が伸縮自在に構成されている請求項３、５、７又は９のいずれかに記載の建物。
【請求項１１】
前記複数の架構はそれぞれ基礎の異なる部位に連結して設けられている請求項１乃至１０のいずれかに記載の建物。
【発明の詳細な説明】
【技術分野】
【０００１】
本発明は、各々独立した複数の架構を有する建物であって、例えば、いずれかの架構に貯水槽などの重量物が設置される建物に関する。
【背景技術】
【０００２】
住宅等の建物においては複数の部屋が設けられ、その部屋ごとに各々異なる物品や設備等が収容される。この場合、建物を支えるための基礎にかかる荷重は場所ごとに相違する。また、高さが互いに異なる複数の建物ユニットを用いてユニット式建物を構築し、低い方の建物ユニットの上部に収容スペースを形成するとともに、その収容スペース内に空調機器等を設置した建物が提案されている（例えば特許文献１参照）。かかる建物では、収納スペースを形成した部分の負担重量とそれ以外の部分の負担重量とが相違し、前者の部分に対応する基礎は他の部分に比して基礎にかかる荷重が大きくなると考えられる。
【特許文献１】特開２００４−２５１０２３号公報
【発明の開示】
【発明が解決しようとする課題】
【０００３】
上記のとおり建物の基礎にかかる荷重が場所ごとに相違する場合、それが原因で局部的に基礎が沈下し（換言すれば、基礎の沈下量が場所ごとに相違し）、それに伴い、床下地盤上において基礎に近接して設けられる防湿コンクリート等に変形や破損等が生じるおそれが懸念される。
【０００４】
また、建物として、各々独立した複数の架構を備えるものが考えられる。こうした複数の架構を有する構造では、特に各架構に対応する基礎部分でそれぞれ沈下量が相違し、やはり上記のとおり床下地盤上の防湿コンクリート等に変形や破損等が生じるおそれが懸念される。
【０００５】
本発明は、建物を支持する基礎の沈下量が場所ごとに相違する場合であっても、それに伴う構造物の変形や破損等を抑制することができる建物を提供することを主たる目的とするものである。
【課題を解決するための手段】
【０００６】
以下、上記課題を解決するのに有効な手段等につき、必要に応じて作用、効果等を示しつつ説明する。なお以下では、理解を容易にするため、発明の実施形態において対応する構成例を括弧書き等で適宜示すが、この括弧書き等で示した具体的構成に限定されるものではない。
【０００７】
本発明の建物は、各々独立した複数の架構（主架構Ｋ１、スキップ架構Ｋ２）が基礎（基礎１１）上に設置され、それら複数の架構により構築されるものであって、前記複数の架構又はその下方の基礎にそれぞれ水平方向に近接して設けられる構造物（防湿コンクリート６１や床材等）を、前記複数の架構又はその下方の基礎に対して不連続としたことを特徴とする。
【０００８】
各々独立した複数の架構を有する建物では、各架構を通じて基礎に作用する荷重がそれぞれ相違し、基礎の各部位ではそれぞれ異なる態様で沈下が生じると考えられる。この点、本発明では、複数の架構又はその下方の基礎と、それに水平方向に近接して設けられる防湿コンクリート等の構造物とが不連続になっている。つまりこれにより、各架構又は基礎と、それに水平方向に近接する構造物とが鉛直方向に互いに相対移動可能となる。そのため、各架構に対応する基礎がそれぞれ異なる態様で沈下しても、すなわち基礎の沈下量が場所ごとに相違しても、防湿コンクリート等の構造物に対して変形や破損等が及ぶことを抑制できる。
【０００９】
特に、前記複数の架構の負担重量（詳しくは、単位面積当たりの負担重量）がそれぞれ相違するものである場合、基礎の局所的な沈下が生じる蓋然性が高まる。例えば、複数の架構のうちいずれかに、建物内で使用する水を貯める貯水槽（貯水タンクユニット４１ｂ）を設置した建物では、各架構の負担重量が相違し、基礎の局所的な沈下が生じる蓋然性が一層高まる。すなわち、貯水槽は重量物であり、それを設置した架構は負担重量が大きくなる。かかる場合、負担重量が相違する架構又はその下方の基礎に対して前記構造物を不連続に設けるとよい。これにより、負担重量が異なる複数の架構又はその下方の基礎に近接して設けられる構造物（防湿コンクリート等）に対して変形や破損等が及ぶことを抑制できる。
【００１０】
貯水槽は、例えばヒートポンプ式温水装置等の給湯設備で用いられる貯水タンクであり、この貯水槽を建物内に設置することで、貯水槽内の水（温水）を建物内で都合よく利用できる。すなわち、住宅等の建物では、キッチン設備、浴室、温水式床暖房設備などがそれぞれ異なる場所に設けられるが、これら設備類に対して好適に水（温水）の供給を行うことができる。望ましくは、建物の中心又はその付近に貯水槽が設置されるとよい。
【００１１】
また、建物を構築する敷地が狭小地である場合、すなわち隣地境界線までの場所の余裕がない場合には、貯水槽（ヒートポンプ式温水装置の貯水タンク等）を屋外に設置できないことも考えられるが、上記のように建物内に貯水槽を設置する構造とすることで、狭小地における貯水槽の設置対策にもなる。
【００１２】
前記複数の架構として、建物の全体構造を構成する主架構（主架構Ｋ１）と、その主架構から独立して設けられ同主架構とは異なる高さに床を形成するスキップ架構（スキップ架構Ｋ２）とを備える建物では、前記主架構及び前記スキップ架構、又はそれらの下方の基礎に対して前記構造物を不連続に設けるとよい。
【００１３】
主架構とスキップ架構とをそれぞれ独立して設けた建物では、スキップ架構を追加しても主架構の構造計算等が複雑になることはなく、量産化やレイアウトの多様化に適した構造を実現できる。また、こうした利点を有する建物について、上記のとおり各架構又はその下方の基礎に対して防湿コンクリート等の構造物を不連続に設けたため、各架構に対応する基礎の沈下量が相違しても、防湿コンクリート等の構造物に対して変形や破損等が及ぶことを抑制できる。
【００１４】
ここで、前記スキップ架構により形成される床上に、建物内で使用する水を貯める貯水槽（貯水タンクユニット４１ｂ）を設置することが好ましい。つまり、スキップ架構によれば、通常の階高とは異なる任意の天井高さの空間部を形成することが容易であり、貯水槽を収納するための収納スペースを容易に形成できる。
【００１５】
一方で、複数の架構の負担重量がそれぞれ相違するものである場合、そのうち相対的に負担重量が大きい架構又はその下方の基礎に水平方向に近接して設けられる構造物（防湿コンクリート６１や床材等）を、前記負担重量が大きい架構又はその下方の基礎に対して不連続にするとよい。例えば、複数の架構のうちいずれかに、建物内で使用する水を貯める貯水槽（貯水タンクユニット４１ｂ）を設置した建物では、その貯水槽を設置した架構又はその下方の基礎に対して前記構造物を不連続に設けるとよい。
【００１６】
上記構成では、負担重量が大きい架構又は基礎と、それに水平方向に近接する構造物とが鉛直方向に互いに相対移動可能となる。したがって、負担重量が大きい架構を支える基礎について、他の基礎よりも沈下量が大きくなったとしても、防湿コンクリート等の構造物に対して変形や破損等が及ぶことを抑制できる。
【００１７】
前記複数の架構として、建物の全体構造を構成する主架構（主架構Ｋ１）と、その主架構から独立して設けられ同主架構とは異なる高さに床を形成するスキップ架構（スキップ架構Ｋ２）とを備え、前記スキップ架構の負担重量を前記主架構よりも大きくした建物では、前記スキップ架構又はその下方の基礎に対して前記構造物を不連続に設けるとよい。ここで、前記スキップ架構により形成される床上に、建物内で使用する水を貯める貯水槽（貯水タンクユニット４１ｂ）を設置することが好ましい。
【００１８】
主架構とスキップ架構とをそれぞれ独立して設けた建物では、スキップ架構を追加しても主架構の構造計算等が複雑になることはなく、量産化やレイアウトの多様化に適した構造を実現できる。また、こうした利点を有する建物について、上記のとおりスキップ架構（すなわち負担重量が大きい架構）又はその下方の基礎に対して防湿コンクリート等の構造物を不連続に設けたため、スキップ架構に対応する基礎の沈下量が、主架構に対応する基礎の沈下量よりも大きくなっても、防湿コンクリート等の構造物に対して変形や破損等が及ぶことを抑制できる。
【００１９】
前記貯水槽から供給される水を使用する水使用設備（浴槽３２、フロアキャビネット４４、床暖房設備４６等）を、前記貯水槽を設置した架構とは異なる架構に設置した建物では、前記貯水槽と前記水使用設備とを接続する給水配管（給水配管４２，４５，４７）が伸縮自在に構成されていることが好ましい。給水配管としては、蛇腹状又はコイル状（螺旋巻線状）に形成された伸縮自在な筒体からなるフレキシブル配管が用いられるとよい。
【００２０】
貯水槽を設置した架構（すなわち負担重量が相対的に大きい架構）と、水使用設備を設置した架構（すなわち負担重量が相対的に小さい架構）とでは、各架構に対応する基礎において沈下量が異なると考えられ、それに起因して、貯水槽と水使用設備とを接続する給水配管に負荷がかかる。しかしながら上記構成では、基礎の沈下に伴い給水配管に負荷がかかっても、給水配管が伸長又は収縮することで同給水配管にかかる負荷が吸収される。したがって、当該配管の破損等を抑制できる。
【００２１】
前記複数の架構がそれぞれ基礎の異なる部位に連結して設けられている建物では、各架構に対応する基礎で沈下量が異なり防湿コンクリート等の構造物の破損が生じ易いと考えられる。この点、上記のとおり複数の架構とそれに水平方向に近接して設けられる防湿コンクリート等の構造物とを不連続としたため、防湿コンクリート等の構造物に対して変形や破損等が及ぶことを抑制できる。
【発明を実施するための最良の形態】
【００２２】
以下に、発明を具体化した一実施形態である建物について図面を参照しつつ説明する。図１は本実施形態の建物全体を示す概略縦断面図である。本実施形態では、建物１０として陸屋根タイプの二階建て住宅を例示している。建物１０は、骨組として鋼材が利用された骨組構造を有し、この骨組構造に外壁その他の各種建築材が設けられて構築されるものとなっている。
【００２３】
図１に示すように、建物１０が構築される地盤には、鉄筋コンクリート造の布基礎からなる基礎１１が設けられており、その基礎１１上に建物１０が構築されている。建物１０は、基礎１１上に形成された下階部分としての一階部分１２と、その一階部分１２の上方に連続して形成された上階部分としての二階部分１３と、その二階部分１３の上方に形成された屋根部分１４とを備えている。なおここでは詳細な説明は省略するが、一階部分１２と二階部分１３との境界部１５は、周知のように一階天井面と二階床面とを含むそれらの間にある各部材によって構成されている。
【００２４】
建物１０の一階部分１２には、例えば居室２１，２２、浴室２３及び収納室２４がそれぞれ形成され、同二階部分１３には、例えば居室２５，２６が形成されている。また、本建物１０には、一階部分１２と二階部分１３とをつなぐ階段２７が設けられている。
【００２５】
居室２１は、一階床高さの位置に床面が設けられるとともに一階天井高さの位置に天井面が設けられる通常の一階居室として構築されているのに対し、居室２２は、その床面が居室２１の床面（一階床高さの位置）よりも低位に設けられるとともに、天井面が居室２１の天井面（一階天井高さの位置）よりも低位に設けられている。すなわち、居室２２の床面は、基礎１１と一階部分１２との境界部よりも低位に設けられている。居室２２には、空調装置３１が設けられている。また、浴室２３には浴槽３２やシャワー設備３３等が設けられている。
【００２６】
建物１０の一階部分１２にはスキップ床３５が設けられており、そのスキップ床３５と一階／二階部分の境界部１５との間に、スキップスペースとしての収納室２４が形成されている。収納室２４は、概ね建物１０の中心部（間取りの中心）であって、階段２７に隣接して設けられている。この場合、収納室２４と階段２７とを区画する壁部には出入り口（開口部）３６が設けられており、その出入り口３６を通じて収納室２４と階段２７との間の出入りが可能となっている。なお、出入り口３６には引き戸等の扉体（図示略）が設けられている。
【００２７】
収納室２４はその空間内の高さが１ｍ〜１．４ｍの範囲に設定されている。１．４ｍを上限としたのは、建築基準法上、居室とみなされないための上限値だからであり、１ｍを下限としたのは、収納室２４内の空間に家人が容易に立ち入ることができるとともに収納力を高めるためである。ただし、下限の１ｍは家人が立ち入ることを前提としなければ必要条件とはならない。
【００２８】
スキップ床３５は、居室２２の天井部の一部を構成するものとなっているが、上記のとおり居室２２の床面が居室２１の床面よりも低位に設けられていることから、その居室２２においては十分な天井高さが確保されている。
【００２９】
上記建物１０では、一階部分１２にスキップ床３５が設けられて上記のとおり十分な高さを有する収納室２４が設けられているにもかかわらず、一階／二階部分の境界部１５の高さ位置は一般的な二階建て住宅と何ら変わらないようになっている。つまり、建物全体の高さ寸法を大きくすることなく、家人が入り込むことのできる十分な高さを有した中間階収納が実現できるようになっている。これにより、従来の一般的な二階建て住宅と外壁等の各種部材を共有化できる。したがって、斜線規制による弊害がなく、コストダウンを図ることができる。
【００３０】
収納室２４には、スキップ床３５上にヒートポンプ式温水装置４１が設置されている。このヒートポンプ式温水装置４１は、ヒートポンプユニット４１ａと貯水タンクユニット４１ｂとからなり、例えば大気からの吸熱によりヒートポンプユニット４１ａにて水を加熱し、その加熱後の温水を貯水タンクユニット４１ｂに蓄える構造となっている。ここで、貯水タンクユニット４１ｂは、例えば、約４００リットルの貯水が可能であり、満水時には重量が４００〜５００ｋｇになる重量物として構成されている。
【００３１】
ヒートポンプ式温水装置４１には給水配管４２が接続され、その給水配管４２が浴室２３内の浴槽３２やシャワー設備３３等に接続されている。したがって、貯水タンクユニット４１ｂに蓄えられた温水は、給水配管４２を介して浴室２３の各部に供給され、当該浴室２３内にて使用される。
【００３２】
また、本実施形態では、二階部分１３の居室２６をダイニングキッチンとしており、その居室（ダイニングキッチン）２６にはフロアキャビネット（キッチン設備）４４が設けられている。フロアキャビネット４４には給湯設備が設けられており、当該フロアキャビネット４４とヒートポンプ式温水装置４１とは給水配管４５により接続されている。その他、二階部分１３の居室２６の床部には温水式の床暖房設備４６が設けられており、その床暖房設備４６とヒートポンプ式温水装置４１とは給水配管４７により接続されている。
【００３３】
したがって、貯水タンクユニット４１ｂに蓄えられた温水は、給水配管４５，４７を介してフロアキャビネット４４や床暖房設備４６に供給され、これらフロアキャビネット４４や床暖房設備４６にて使用される。
【００３４】
給水配管４２，４５，４７としては、折り曲げ柔軟性を有し、かつ蛇腹状に形成された伸縮自在な筒体からなるフレキシブル配管が用いられる。又は、給水配管４２，４５，４７として、コイル状（螺旋巻線状）に形成された伸縮自在な筒体からなるフレキシブル配管が用いられてもよい。
【００３５】
次に、上記建物１０の具体的構造について図２に基づいて説明する。なお図２では、建物１０の一階部分１２についてのみ具体的構造を示すものとしている。
【００３６】
本実施形態の建物１０は、その全体構造を構成する主架構Ｋ１と、収納スペース構築のためのスキップ架構Ｋ２とを備えている。すなわち、建物１０において、居室２２とその上方の収納室２４とはスキップ架構Ｋ２により構築されており、それ以外が主架構Ｋ１により構築されている。主架構Ｋ１とスキップ架構Ｋ２とは、各々独立した骨組み構造体となっており、以下の説明では、主架構Ｋ１とスキップ架構Ｋ２とを分けてその具体的に構造を説明する。
【００３７】
まず主架構Ｋ１の概要について説明する。基礎１１のうち図示される各部（基礎１１ａ，１１ｂ，１１ｃ，１１ｄ，１１ｅ）上には、それぞれ角形鋼よりなる下階柱５１ａ，５１ｂ，５１ｃ，５１ｄ，５１ｅが立設されており、それら各下階柱５１ａ〜５１ｅの上端には、Ｈ形鋼よりなる複数の上階床梁５２ａ，５２ｂ，５２ｃが連結されている。その連結構造は、例えばコーナ金具（図示略）がそれぞれにボルト止めされたり溶接されたりすることにより実現されている。なお、下階柱５１ｃ，５１ｄについては、スキップ架構Ｋ２の奥側に見える上部のみを示している。そして、上階床梁５２ａ〜５２ｃの上下にそれぞれ上階床材、下階天井材等が組み付けられることで、一階／二階部分の境界部１５（図１参照）が構築されている。
【００３８】
主架構Ｋ１により構築される居室２１においては、基礎１１ａ，１１ｂの上方に床材５３が組み付けられている。また、同じく主架構Ｋ１により構築される浴室２３においては、床材５４が組み付けられ、一部が床下に入り込むようにして浴槽３２が設置されている。
【００３９】
上階床梁５２ａ〜５２ｃの上方に構築される二階部分の構造について略述すると、上階床梁５２ａ〜５２ｃには例えばコーナ金具がそれぞれにボルト止めされたり溶接されたりすることにより、角形鋼よりなる複数の上階柱５５ａ，５５ｂ，５５ｃ，５５ｄの下端が連結されている。
【００４０】
次いで、スキップ架構Ｋ２について説明する。上述したとおり、スキップ架構Ｋ２は居室２２とその上方の収納室２４とを構築するものであり、居室２２に対応する基礎１１ｃ，１１ｄ上には、それぞれスキップ柱５６ａ，５６ｂが立設されている。ここで、基礎１１ｃ，１１ｄは、主架構Ｋ１を構成する下階柱５１ｃ，５１ｄを支えるための下部構造でもあり、基礎１１ｃ，１１ｄの長手方向（紙面に直交する方向）にずらして、主架構Ｋ１の下階柱５１ｃ，５１ｄとスキップ架構Ｋ２のスキップ柱５６ａ，５６ｂとが基礎１１ｃ，１１ｄにそれぞれ連結されている。なお、基礎１１ｃ，１１ｄの幅方向（紙面の左右方向）にずらして、下階柱５１ｃ，５１ｄとスキップ柱５６ａ，５６ｂとを基礎１１ｃ，１１ｄに連結することも可能である。図面では正面視のため一対のスキップ柱５６ａ，５６ｂのみが見えるようになっているが、実際には居室２２の平面視で少なくとも四隅となる位置にそれぞれスキップ柱が設けられている。
【００４１】
各スキップ柱５６ａ，５６ｂの上端には、Ｈ形鋼よりなるスキップ床梁５７が連結されている。その連結構造は、例えばコーナ金具がそれぞれにボルト止めされたり溶接されたりすることにより実現される。スキップ床梁５７は、その上下に組み付けられた収納室床材及び居室天井材（いずれも図示略）とともに、居室２２と収納室２４との境界部であるスキップ床３５（図１参照）を構築している。居室２２においては、基礎１１ｃ，１１ｄの天端（上端）よりも低い位置に居室床材５８が設置されている。
【００４２】
また、建物１０の下方において床下地盤上には防湿コンクリート６１が打設されている。すなわち、居室２１の下方において基礎１１ａ，１１ｂの各立ち上げ部の間には防湿コンクリート６１ａが設けられ、居室２２の下方において基礎１１ｃ，１１ｄの各立ち上げ部の間には防湿コンクリート６１ｂが設けられ、浴室２３の下方において基礎１１ｄ，１１ｅの各立ち上げ部の間には防湿コンクリート６１ｃが設けられている。なお、防湿コンクリート６１は、各架構の下方の基礎１１に水平方向に近接して設けられる「構造物」に相当する。この構造物として、防湿コンクリート６１に代えて、モルタル層を設ける構成であってもよい。
【００４３】
ところで、上記構造の建物１０では、主架構Ｋ１とスキップ架構Ｋ２とが独立した構造体となっているため、各架構Ｋ１，Ｋ２の負担重量が相違すると、それに起因して、基礎１１の各部位でそれぞれ異なる態様で沈下が生じると考えられる。特に本実施形態では、スキップ架構Ｋ２により構築されるスキップ床３５上に、重量物であるヒートポンプ式温水装置４１を設置しているため、スキップ架構Ｋ２の負担重量が大きくなり、同スキップ架構Ｋ２を支える基礎（図２の基礎１１ｃ，１１ｄ）において局所的な沈下が生じるおそれがある。かかる場合、局所的な基礎１１の沈下によって、防湿コンクリート６１等に破損等が生じるおそれがある。
【００４４】
そこで本実施形態の建物１０では、各架構Ｋ１，Ｋ２に対応する基礎１１（１１ａ〜１１ｅ）と、それに水平方向に近接して設けられる防湿コンクリート６１とを不連続とし、それらが鉛直方向に互いに相対移動可能となる構造を採用する。具体的には、例えば図３に示すように、基礎１１ｄの立ち上げ部と防湿コンクリート６１ｃの周縁部との間に、これら両者を分断させ、かつ基礎１１ｄの立ち上げ部側面に対して相対移動可能な中間材６３を介在させる構成とする。中間材６３は、例えば木製又は合成樹脂製の板材であり、基礎１１が延びる方向（図３では紙面直交方向）に沿って設けられている。なお図示は省略するが、基礎１１と防湿コンクリート６１とが近接する他の部位においても、両者の間に中間材を設ける構成が採用されている。
【００４５】
上記構成とすることで、主架構Ｋ１とスキップ架構Ｋ２とでそれぞれに対応する基礎１１の沈下量が相違しても、基礎１１と防湿コンクリート６１との鉛直方向の相対移動が許容され、防湿コンクリート６１が破損するといった不都合が回避できる。
【００４６】
主架構Ｋ１とスキップ架構Ｋ２とがそれぞれ基礎の異なる部位に連結して設けられている建物では、各架構に対応する基礎で沈下量が異なり防湿コンクリート等の構造物の破損が生じ易いと考えられる。この点、上記のとおり各架構Ｋ１，Ｋ２と防湿コンクリート６１とを不連続としたため、防湿コンクリート６１に対して変形や破損等が及ぶことを抑制できる。
【００４７】
上記のようにヒートポンプ式温水装置４１を建物１０内に設置した構成によれば、ヒートポンプ式温水装置４１から供給される温水を建物１０内で都合よく利用できる。特に本実施形態では、ヒートポンプ式温水装置４１を収納する収納室２４を、フロアキャビネット４４や温水式の床暖房設備４６を備える二階居室２６や浴室２３に隣接して設けたため、温水を利用する各設備に対して都合よく温水が供給できる。例えば、給水配管の短縮化が可能となり、温水を効率よく各設備に供給できる。なお、建物内の各部屋に温水を効率よく供給するには、建物の中心又はその付近にヒートポンプ式温水装置４１が設置されることが望ましい。
【００４８】
建物１０を構築する敷地が狭小地である場合、すなわち隣地境界線までの場所の余裕がない場合には、ヒートポンプ式温水装置４１を屋外に設置できないことも考えられるが、上記のように建物１０内にヒートポンプ式温水装置４１を設置する構造とすることで、狭小地におけるヒートポンプ式温水装置４１の設置対策にもなる。
【００４９】
また、上記のようにヒートポンプ式温水装置４１をスキップ架構Ｋ２に設けるとともに、ヒートポンプ式温水装置４１からの給水を使用する水使用設備（浴槽３２、フロアキャビネット４４、床暖房設備４６等）を主架構Ｋ１に設けた建物構造では、各架構Ｋ１，Ｋ２に対応する基礎の沈下量の違いから給水配管４２，４５，４７に負荷がかかり、同給水配管４２，４５，４７が破損するおそれがある。この点、本実施形態では、給水配管４２，４５，４７を伸縮自在な構成としたため、基礎１１の沈下に伴い給水配管４２，４５，４７に負荷がかかっても、給水配管４２，４５，４７が伸長又は収縮することで同給水配管にかかる負荷が吸収される。したがって、給水配管４２，４５，４７の破損等を抑制できる。
【００５０】
主架構Ｋ１とスキップ架構Ｋ２とをそれぞれ独立して設けた建物では、スキップ架構Ｋ２を追加しても主架構Ｋ１の構造計算等が複雑になることはなく、量産化やレイアウトの多様化に適した構造を実現できる。ヒートポンプ式温水装置４１を収納するための収納室２４は、通常の階高を有する部屋とは異なり天井高さが低くてよいが、スキップ架構Ｋ２によれば、こうした収納室２４を容易に形成することができる。
【００５１】
収納室２４は人の出入りが可能な空間であるため、当該収納室２４に入り込んでヒートポンプ式温水装置４１の設置工事やメンテナンス等を行うことができる。
【００５２】
（その他の実施形態）
上記実施形態では、各架構Ｋ１，Ｋ２に対応する基礎１１（１１ａ〜１１ｅ）と、それに水平方向に近接して設けられる防湿コンクリート６１とを不連続としたが、これを変更する。例えば、重量物であるヒートポンプ式温水装置４１を設置するスキップ架構Ｋ２についてのみ、基礎１１（１１ｃ，１１ｄ）と防湿コンクリート６１とを不連続とする構成にしてもよい。つまりこの場合、主架構Ｋ１に対応する基礎と、スキップ架構Ｋ２に対応する基礎とを比較すると、後者の方が単位面積当たりの負担重量が大きく、沈下量が大きくなると想定される。これにより、負担重量が大きいスキップ架構Ｋ２と防湿コンクリート６１とが鉛直方向に互いに相対移動可能となり、スキップ架構Ｋ２を支える基礎１１（１１ｃ，１１ｄ）について、他の基礎よりも沈下量が大きくなったとしても、防湿コンクリート等の構造物に対して変形や破損等が及ぶことを抑制できる。
【００５３】
上記実施形態では、基礎とそれに近接する防湿コンクリート等の構造物とを不連続にする構成を採用したが、これを変更し、基礎上に構築される架構とそれに近接する構造物とを不連続にする構成を採用してもよい。すなわち、主架構Ｋ１やスキップ架構Ｋ２を構成する柱材に水平方向に近接して設けられる床材等を、当該柱材に対して不連続とする構成であってもよい。
【００５４】
上記実施形態では、建物１０が構築される地盤に鉄筋コンクリート造の布基礎からなる一体の基礎１１を設けたが、これを変更する。例えば、主架構Ｋ１を支える基礎とスキップ架構Ｋ２を支える基礎とをそれぞれ個別に独立させて設けてもよい。かかる場合、工場等にて複数の基礎ブロックを製造し、それを建築現場に運搬して据え付ける、いわゆるプレキャストコンクリート基礎ブロックを用いて基礎を構築してもよい。架構ごとに異なる基礎を用いる場合、各架構に対応する基礎の沈下量がそれぞれ相違する可能性が高まるが、上記のとおり基礎と防湿コンクリート等の構造物とを不連続にすることにより、防湿コンクリート等の変形や破損を抑制できる。
【００５５】
上記実施形態の建物１０では、複数の架構として、主架構Ｋ１と、同主架構Ｋ１とは異なる高さに床を形成するスキップ架構Ｋ２とを設けたが、これを変更し、いずれも床高さを同じとする複数の架構を有する構造であってもよい。本構成にあっても、複数の架構又はその下方の基礎と、それに水平方向に近接して設けられる防湿コンクリート等の構造物とを不連続にすることにより、各架構又は基礎と、それに水平方向に近接する構造物とが鉛直方向に互いに相対移動可能となる。したがって、各架構に対応する基礎がそれぞれ異なる態様で沈下しても、すなわち基礎の沈下量が場所ごとに相違しても、防湿コンクリート等の構造物に対して変形や破損等が及ぶことを抑制できる。
【図面の簡単な説明】
【００５６】
【図１】本実施形態の建物を示す概略縦断面図。
【図２】建物の具体的構造を示す縦断面図。
【図３】基礎周りの構成を拡大して示す断面図。
【符号の説明】
【００５７】
１０…建物、１１…基礎、１２…一階部分、１３…二階部分、１５…境界部、２１，２２…居室、２３…浴室、２４…収納室、２５，２６…居室、３２…浴槽、３３…シャワー設備、３５…スキップ床、４１…ヒートポンプ式温水装置、４１ａ…ヒートポンプユニット、４１ｂ…貯水タンクユニット、４２，４５，４７…給水配管、４４…フロアキャビネット、４６…床暖房設備、５１…下階柱、５２…上階床梁、５６…スキップ柱、５７…スキップ床梁、Ｋ１…主架構、Ｋ２…スキップ架構。
【図１】
2008285948.tif 000003
【図２】
2008285948.tif 000004
【図３】
2008285948.tif 000005